(57)【要約】【課題】取付状態において分岐開閉器の前後方向のがたつきを抑えた分電盤を提供する。【解決手段】分電盤は、箱体の内部に収納される複数の分岐開閉器４と、分岐開閉器４が取付けられる取付台９と、取付台９に回動自在に軸支され分岐開閉器４の移動を規制する係合部材１０とを備えている。分岐開閉器４の長手方向一端側には導電バー１４が差込接続される刃受け１６、１６が配設され、他端側には係合凹部４ｃが設けられている。係合部材１０は本体部１０ａを有しており、本体部１０ａの端縁には上方に突出するとともに先端側が外側に突出する係合片１０ｂが一体に設けられている。この係合部材１０は、取付台９の支持片９ｂに回動自在に軸支され、分岐開閉器４を取付けた状態において係合部材１０を回転させて係合片１０ｂを係合凹部４ｃに差し込むと、係合片１０ｂの先端側に設けたばね体１０ｅにより分岐開閉器４が下方に弾性付勢された状態で保持される。【選択図】図１
2008211875.tif 000002
【特許請求の範囲】
【請求項１】
前面側に分岐開閉器が配設される取付板を備え、前記分岐開閉器は、開閉器本体の対向する２面を結ぶ方向において一方側に係合凹部が設けられるとともに他方側に前記取付板に設けられた係合突片と係合し当該分岐開閉器の他方側への移動を規制する移動規制部が設けられ、前記取付板に、前記係合凹部に係合する係合片を有して当該取付板と平行な面に沿って前記係合片を前記係合凹部内に進入させる取付位置と前記係合片を前記係合凹部から退出させる取り外し位置との間で回動する係合部材を設け、前記係合片を前記係合凹部内に進入させた際に前記分岐開閉器に前記取付板側への弾性付勢力を与える弾性ばね部を前記係合部材に設けたことを特徴とする分電盤。
【請求項２】
前記係合部材は、前記取付板に軸支するための軸部を有し、前記弾性ばね部は、当該軸部に前記取付板の背面側への弾性付勢力を与えるばね体からなることを特徴とする請求項１記載の分電盤。
【請求項３】
前記弾性ばね部は、前記係合片において前記係合凹部と当接する部位に設けたばね体からなることを特徴とする請求項１記載の分電盤。
【発明の詳細な説明】
【技術分野】
【０００１】
本発明は、分電盤に関するものである。
【背景技術】
【０００２】
従来より、導電バーに回路遮断器を差込接続する分電盤があった（例えば特許文献１参照）。この分電盤は、前後方向（分電盤の奥行き方向）に並設された複数の長尺状の導電バーと、一端側に導電バーに短手方向から差込接続される受刃が配設され、他端側に被引掛部が形成された複数の回路遮断器と、被引掛部に引掛けられる引掛部が形成され、回路遮断器が取付けられるベースとを備えている。引掛部は、略Ｌ字状であって先端側に引掛片が一体に形成されており、被引掛部は引掛片に対応する部位に引掛片が挿入される引掛凹部が設けられている。そして、回路遮断器の各受刃を導電バーの短手方向から対応する導電バーに差込接続するとともに引掛片を引掛凹部に挿入すると、引掛片が引掛凹部の背面側の端面に当接し、回路遮断器の前面側への移動が規制される。
【特許文献１】特開２００３−１６４０２１号公報（第３頁−第７頁、及び、第１図−第９図）
【発明の開示】
【発明が解決しようとする課題】
【０００３】
上述の特許文献１に示した分電盤では、製造誤差等により引掛片と引掛凹部の高さ位置にずれが生じた場合、回路遮断器を取付けた状態において引掛片と引掛凹部との間に前後方向の隙間が生じ、回路遮断器の前面側への移動が十分規制できず、回路遮断器が前後方向にがたつく虞があった。
【０００４】
本発明は上記問題点に鑑みて為されたものであり、その目的とするところは、取付状態において分岐開閉器の前後方向のがたつきを抑えた分電盤を提供することにある。
【課題を解決するための手段】
【０００５】
請求項１の発明は、前面側に分岐開閉器が配設される取付板を備え、分岐開閉器は、開閉器本体の対向する２面を結ぶ方向において一方側に係合凹部が設けられるとともに他方側に取付板に設けられた係合突片と係合し当該分岐開閉器の他方側への移動を規制する移動規制部が設けられ、取付板に、係合凹部に係合する係合片を有して当該取付板と平行な面に沿って係合片を係合凹部内に進入させる取付位置と係合片を係合凹部から退出させる取り外し位置との間で回動する係合部材を設け、係合片を係合凹部内に進入させた際に分岐開閉器に取付板側への弾性付勢力を与える弾性ばね部を係合部材に設けたことを特徴とする。
【０００６】
請求項２の発明は、係合部材は、取付板に軸支するための軸部を有し、弾性ばね部は、当該軸部に取付板の背面側への弾性付勢力を与えるばね体からなることを特徴とする。
【０００７】
請求項３の発明は、弾性ばね部は、係合片において係合凹部と当接する部位に設けたばね体からなることを特徴とする。
【発明の効果】
【０００８】
請求項１の発明によれば、製造誤差等により係合片と係合凹部の高さ位置がずれた場合であっても、係合部材に弾性ばね部を設けることによって、取付状態において分岐開閉器に取付板側への弾性付勢力を与えることができるので、分岐開閉器を取付板との間でがたつきなく保持することができるという効果がある。
【０００９】
請求項２の発明によれば、軸部を取付板の背面側に弾性付勢するばね体を設けることによって、係合片を係合凹部に係合させた取付状態では分岐開閉器に取付板側の弾性付勢力を与えることができるので、分岐開閉器を取付板との間でがたつきなく保持することができるという効果がある。
【００１０】
請求項３の発明によれば、係合片において係合凹部と当接する部位にばね体を設けることによって、取付状態においてばね体により分岐開閉器に取付板側の弾性付勢力を与えることができるので、分岐開閉器を取付板との間でがたつきなく保持することができるという効果がある。また、ばね体は係合片を係合凹部に進入させたときのみ係合凹部に接触するので、ばね体の磨耗を抑えることができ、取付状態において分岐開閉器のがたつきを確実に抑えることができるという効果がある。
【発明を実施するための最良の形態】
【００１１】
（第１の実施形態）
第１の実施形態を図１〜図５に基づいて説明する。本実施形態の分電盤Ａは、造営材（例えば、壁面等）に取付けられ、内部に収納した主幹開閉器３又は複数（図２では１６個）の分岐開閉器４が必要に応じてそれぞれオン／オフされる。尚、以下の説明では特に断りがない場合、図２に示す向きにおいて上下左右の方向を規定し、図２の正面を前面という。従って図１の下側が後面になる。
【００１２】
本実施形態の分電盤Ａは、図２及び図３に示すように縦長の略矩形板状の背面板１ａ及び縦長であって背面板１ａの外縁に沿って背面板１ａに取着される枠体１ｂで一体に形成された箱体１と、箱体１の内部に収納される主幹開閉器３及び複数の分岐開閉器４と、分岐開閉器４が取付けられる取付台９と、取付台９に回動自在に軸支され分岐開閉器４の移動を規制する係合部材１０と、箱体１の一端側において開閉自在に枢支され主幹開閉器３及び分岐開閉器４の前面側を覆う蓋体２とを備えている。
【００１３】
まず、背面板１ａについて図２及び図３に基づいて説明する。背面板１ａは、縦長の略矩形板状であって、左右方向両端側には断面視コ字状の縦長の取付部材５、５がねじ１１を用いてそれぞれ取付けられている。各取付部材５には、長手方向に沿って複数の取付孔５ａが一定の間隔で設けられており、両取付部材５、５の上方位置には主幹開閉器３を取付けるための略矩形板状の取付ベース６がねじ１５を用いて取付けられている。また、両取付部材５、５の下方位置には、平面視矩形板状の取付ベース７がねじ１５を用いて取付けられている。この取付ベース７の前面側には、左右方向中央位置に３本の導電バー１４が上下方向に沿って前後方向に異なる高さに配設され、これらの導電バー１４の左右両側には分岐開閉器４が取付けられる取付台９、９がねじ１５を用いてそれぞれ取付けられている。
【００１４】
ここで、取付台９について図１及び図５に基づいて説明する。取付台９は、側面視コ字状の主台９ａを有し、主台９ａの両側の下端からは内側に向かって延出する取付片９ｃ、９ｃがそれぞれ折曲形成されており、取付片９ｃをねじ１５により取付ベース７に固定している。また、主台９ａの導電バー１４側には、前面側に突出し先端側が斜め前方に折り曲げられた係合突片９ｅが切り起こしにより形成され、主台９ａの導電バー１４と反対側には、係合部材１０を軸支するための軸孔９ｄが設けられた支持片９ｂが二つ折に折曲形成されている。これらの係合突片９ｅ及び支持片９ｂは、導電バー１４の長手方向に沿って分岐開閉器４の取付間隔で複数（本実施形態では各８個）設けられている。ここに、主台９ａの上面で取付板が構成されている。
【００１５】
次に、主幹開閉器３について図２に基づいて説明する。主幹開閉器３は、縦長の略直方体状に形成されており、前面側において長手方向両端側には複数（図２では各３個）の電源側端子３ｂ及び負荷側端子３ｃがそれぞれ設けられている。また、主幹開閉器３の前面側略中央位置には、内部の接点（図示せず）をオン／オフして各電源側端子３ｂと対応する負荷側端子３ｃの間を導通又は開放するための操作摘み３ａが設けられている。各電源側端子３ｂには、図示しない一次電源が接続され、各負荷側端子３ｃには平面視Ｌ字状の導電部材８ａ〜８ｃの一端側がねじ１２を用いてそれぞれ接続されている。また、導電部材８ａ、８ｃは、途中位置で折り曲げて他端側の高さ位置を対応する導電バー１４の高さ位置に合わせており、導電部材８ａ〜８ｃの他端側はそれぞれ対応する導電バー１４にねじ１３を用いて接続されている。この主幹開閉器３は、取付ベース６に例えばねじ等を用いて固定されている。
【００１６】
さらに、分岐開閉器４について図１〜図３に基づいて説明する。分岐開閉器４は、略直方体状であって分電盤協約寸法の１個分に形成された開閉器本体４ｆと、略直方体状であって開閉器本体４ｆに着脱自在に取着されるプラグインアダプタ４ｇとを備えている。開閉器本体４ｆは、前面側において左右方向一端側（図１の右側）に負荷側端子４ｅが２個設けられ、他端側（図１の左側）に負荷側端子４ｅと対応する電源側端子（図示せず）が設けられている。一方、プラグインアダプタ４ｇは、左右方向一端側（図１の左側）の側面において３本の導電バー１４に対応する高さ位置に溝４ｂが３箇所設けられ、上側の２箇所には一対の刃受け１６、１６がそれぞれ配置されている。各刃受け１６は、アダプタ内部に収納された導電部材（図示せず）の一端側に設けられ、他端側の差込端子（図示せず）を開閉器本体４ｆの対応する電源側端子にねじ固定することで、各刃受け１６と電源側端子とが電気的に接続される。
【００１７】
また、開閉器本体４ｆは、負荷側端子４ｅ側の側面の下側に係合部材１０が係合する係合凹部４ｃが設けられ、電源側端子側の側面の下側に取付台９の係合突片９ｅが係止する係止凹部（移動規制部）４ｄが設けられている。さらに、開閉器本体４ｆの前面側の略中央位置には、内部の接点（図示せず）をオン／オフして各刃受け１６と対応する負荷側端子４ｅの間を導通又は開放するための操作摘み４ａが設けられている。この分岐開閉器４は、図２に示すように左右方向において導電バー１４の左右両側に２列に配列されており、さらに上下方向において導電バー１４に沿って複数（図２では８個）並設されている。尚、本実施形態では、開閉器本体４ｆとプラグインアダプタ４ｇとを別体に設けているが、開閉器本体の内部に導電バー１４に接続する刃受け１６を備えたプラグインタイプの分岐開閉器としてもよい。
【００１８】
ここで、係合部材１０について図１及び図４に基づいて説明する。係合部材１０は、例えば合成樹脂製であって略円盤状の本体部１０ａを有しており、本体部１０ａの上面の略中央位置にはプラス形状のドライバー溝１０ｇが設けられている。また、本体部１０ａの上面の端縁には、上方に突出するとともに先端側が本体部１０ａの上面と略平行に外側に向かって突出する側面視略Ｌ字状の係合片１０ｂが一体に設けられている。さらに、係合片１０ｂの先端側において一方（図４（ａ）の左側）の端縁には、内側に向かって斜め下方に傾斜する傾斜面１０ｆが形成されており、この傾斜片１０ｆの近傍には略弧状のばね体（弾性ばね部）１０ｅが一体に設けられている。尚、係合片１０ｂの先端側に傾斜面１０ｆを設けることによって、係合片１０ｂを係合凹部４ｃに差し込む際に引っかかることがなく、容易に差し込むことができる。
【００１９】
一方、本体部１０ａの下面には、略円盤状の軸部１０ｊが一体に形成されており、軸部１０ｊの下面には、下方に突出するとともに先端側が側方に突出する突片１０ｃが設けられている。また、突片１０ｃの先端側には、突片１０ｃを間にして両側から斜め上方に延出し、本体部１０ａ側に行くほど互いの間隔が拡がる一対の抜け止め片１０ｄ、１０ｄが一体に設けられている。そして、突片１０ｃ及び両抜け止め片１０ｄ、１０ｄを取付台９の支持片９ｂに設けた軸孔９ｄを通して下方に突出させ、軸部１０ｊを軸孔９ｄに軸支させると係合部材１０が回動自在に支持片９ｂに取付けられる。尚、取付状態において、両抜け止め片１０ｄ、１０ｄの先端側が突片１０ｃから離れる方向に拡がっているので、係合部材１０に上向きの力が加わった場合でも、両抜け止め片１０ｄ、１０ｄの先端側が支持片９ｂの下面に当接して係合部材１０の抜けを防止することができる。
【００２０】
次に、分岐開閉器４を取付ける手順について図１に基づいて説明する。まず、分岐開閉器４を取付台９の主台９ａの上面に載置する（図１（ａ）参照）。尚、この状態において係合部材１０の係合片１０ｂは右向きに配置されているので、分岐開閉器４を載置する際に係合片１０ｂが干渉することはない。次に、分岐開閉器４を主台９ａの上面に沿って左側（導電バー１４側）にスライドさせ、係合突片９ｅを係止凹部４ｄに係止させるとともに各導電バー１４を対応する刃受け１６、１６に挟持させる（図１（ｂ）参照）。そして、プラスドライバー（図示せず）を係合部材１０のドライバー溝１０ｇに差し込み右回りに回転させると、係合部材１０が支持片９ｂの上面に沿って回転し、分岐開閉器４の係合凹部４ｃに係合片１０ｂが差込まれ、分岐開閉器４の取付けが完了する（図１（ｃ）参照）。尚、分岐開閉器４は、取付完了状態において係合突片９ｅ及び係合部材１０により左右両側から保持されており、分岐開閉器４の左右方向への移動が規制されている。
【００２１】
この分電盤Ａでは、係合片１０ｂにおいて係合凹部４ｃと当接する部位にばね体１０ｅを設けることによって、取付状態においてばね体１０ｅが係合凹部４ｃの下面に弾接し、分岐開閉器４を下方に弾性付勢することができるので、分岐開閉器４を取付台９との間でがたつきなく保持することができる。また、ばね体１０ｅは、係合片１０ｂを分岐開閉器４の係合凹部４ｃに進入させた時のみ係合凹部４ｃに接触するので、ばね体１０ｅの磨耗を抑えることができ、取付状態において分岐開閉器４のがたつきを確実に抑えることができる。
【００２２】
尚、本実施形態では、ばね体１０ｅを係合片１０ｂの先端側に一体に形成しているが、ばね体１０ｅは本実施形態に限定されるものではなく、例えばばね鋼等で別体に形成して係合片１０ｂに取着してもよい。
【００２３】
また、係合凹部４ｃ及び係合部材１０の形状は本実施形態に限定されるものではなく、分岐開閉器４を配置する位置等に応じて適宜設計してもよい。
【００２４】
（第２の実施形態）
第２の実施形態を図６に基づいて説明する。本実施形態の分電盤Ａは、箱体１と、主幹開閉器３及び複数の分岐開閉器４と、取付台９と、係合部材１０と、蓋体２とを備えており、ばね体１０ｅの代わりに軸部１０ｊに背面側への弾性付勢力を与える抜け止め片１０ｈ、１０ｈで弾性ばね部を兼用している以外の構成は第１の実施形態と同様であるので、同一の構成要素には同一の符号を付して説明は省略する。
【００２５】
抜け止め片１０ｈ、１０ｈは、例えば合成樹脂製であって突片１０ｃの先端側から本体部１０ａ側に向かって延設されており、係合部材１０を取付台９の支持片９ｂに軸支させた状態において図６（ａ）に示すように両抜け止め片１０ｈ、１０ｈの先端部が支持片９ｂの下面に当接している。そして、係合片１０ｂを分岐開閉器４の係合凹部４ｃに差し込んだ状態では、図６（ｂ）に示すように両抜け止め片１０ｈ、１０ｈの先端側が外側に向かって略く字状に屈曲し、係合片１０ｂの下面と係合凹部４ｃの下面とが当接している。
【００２６】
この分電盤Ａでは、弾性ばね部を突片１０ｃに設けることによって、係合片１０ｂの下面を係合凹部４ｃの下面に当接させた取付状態において分岐開閉器４を下方に弾性付勢することができるので、分岐開閉器４を取付台９との間でがたつきなく保持することができる。また、弾性ばね部を両抜け止め片１０ｈ、１０ｈで兼用することで、製造コストを低減することができる。
【図面の簡単な説明】
【００２７】
【図１】（ａ）〜（ｃ）は第１の実施形態の分電盤に分岐開閉器を取付ける手順を説明する説明図である。
【図２】同上の蓋体を取り外した状態の正面図である。
【図３】同上のＸ−Ｘ断面図である。
【図４】同上に用いる係合部材を示し、（ａ）は正面図、（ｂ）は側面図、（ｃ）は上面図、（ｄ）はＹ部詳細図、（ｅ）はＺ−Ｚ断面図である。
【図５】同上に用いる取付台を示し、（ａ）は一部破断せる上面図、（ｂ）は一部破断せる側面図である。
【図６】（ａ）、（ｂ）は第２の実施形態の分電盤を説明する要部拡大断面図である。
【符号の説明】
【００２８】
４      分岐開閉器
４ｃ    係合凹部
４ｄ    係止凹部（移動規制部）
９ｃ    係合突片
１０    係合部材
１０ｂ  係合片
１０ｅ  ばね体（弾性ばね部）
Ａ      分電盤
【図１】
2008211875.tif 000003
【図２】
2008211875.tif 000004
【図３】
2008211875.tif 000005
【図４】
2008211875.tif 000006
【図５】
2008211875.tif 000007
【図６】
2008211875.tif 000008